(57)【特許請求の範囲】
【請求項１】
外殻筐体内に収納された計測素子により得られる計量値を遠隔から通信を用いて検針する遠隔検針用計量装置において、
上記外殻筐体内に収納され、該遠隔検針用計量装置側の通信を制御する通信制御部と、上記筐体外に配設された通信端子の端子台部に該遠隔検針用計量装置のアドレス設定手段とを備え、
上記通信制御部は複数の通信方式を選択可能であり、使用する通信方式を選択設定できる通信モード選択手段を上記アドレス設定手段と並設したことを特徴とする遠隔検針用計量装置。
【請求項２】
外殻筐体内に収納された計測素子により得られる計量値を遠隔から通信を用いて検針する遠隔検針用計量装置において、
上記外殻筐体内に収納され、該遠隔検針用計量装置側の通信を制御する通信制御部と、
上記筐体外に配設された通信端子の端子台部に該遠隔検針用計量装置のアドレス設定手段とを備え、上記端子台部にＩＣソケットをアドレス設定手段と並設し、各通信方式に対応したプログラムを記憶したメモリーチップを上記ＩＣソケットに着脱可能にしたことを特徴とする遠隔検針用計量装置。
【請求項３】
計測素子から分岐されたパルス出力を一方入力とするアンド回路を具備し、通信モード選択手段またはアドレス設定手段の設定を特定設定としたときに上記アンド回路の他方入力を「Ｈ」として通信端子からパルス出力を出力し、上記通信モード選択手段または上記アドレス設定手段が特定設定以外のときは上記アンド回路の他方入力を「Ｌ」にして上記アンド回路を作動停止させて通信制御部から通信端子へ電文出力させて電文形式と計量パルス形式出力を選択可能にしたことを特徴とする請求項１に記載の遠隔検針用計量装置。
【請求項４】
計測素子から分岐されたパルス出力を一方入力とするアンド回路を具備し、ＩＣソケットにメモリーチップを未装着のときまたはアドレス設定手段の設定を特定設定としたときに上記アンド回路の他方入力を「Ｈ」として通信端子からパルス出力を出力し、上記ＩＣソケットに上記メモリーチップを装着のときまたは上記アドレス設定手段が特定設定以外のときは上記アンド回路の他方入力を「Ｌ」にして上記アンド回路を作動停止させて通信制御部から通信端子へ電文出力させて電文形式と計量パルス形式出力を選択可能にしたことを特徴とする請求項２に記載の遠隔検針用計量装置。
【発明の詳細な説明】
【０００１】
【発明の属する技術分野】
この発明は、電力、ガス、水道などの遠隔検針における計量値を外部に通信により伝達する遠隔検針用計量装置に関するもので、特に筐体内に計測素子と一緒に通信装置が収容される取り引き用計量装置のアドレス設定手段を筐体外部に一体に設ける構成に関する。
【０００２】
【従来の技術】
図５は、例えば特開平９−１３００６１号公報に示された従来の遠隔検針端末装置の構成断面図、図６は回路構成ブロック図、図７は電力量計の外観側面図である。
図において、１０は計量装置の一種である電力量計、電力量計１０の筐体外殻は金属製のベース１１と、ガラスカバー１２と、端子箱１３、および端子カバー１４から構成される。電力量計１０の内部には計測素子１７と、計測素子１７からの計測信号（電力量に比例したパルス）を積算する計量部１８と、外部から計量値を視認可能にする表示部１９が収容されている。そして端子箱１３には外部から被計測信号を取り込む入力端子１３ａと計量信号を出力する通信端子１３ｂが設けられている。１５は封印ネジであり、計測素子１７、計量部１８の計量精度を検定確認後に外部から触れないように電気検定所等でベース１１とガラスカバー１２とを封印する。１６は端子カバー封印ネジである。この端子カバー封印ネジ１６は電力量計１０の取付設置工事後に外部との接続部分を封印するもので工事業者が封印実施する。
【０００３】
３０は電話回線等の通信手段を用いて電力量計１０の使用量検針を遠隔の中央監視装置４０から行う通信端末器である。通信端末器３０には電力需要家個々に使用量検針が行えるように固有アドレスが設定される。３１はマイクロプロセッサー（ＣＰＵ）により制御される通信制御部であり、該通信端末器３０宛に中央監視装置４０からの検針指令に対して計量部１８の検針結果を応答電文に編成して返信する。３２はアドレス設定部であり、該通信端末器３０のアドレス番号を設定する。アドレス設定部３２はディップスイッチ等で構成される。
【０００４】
【発明が解決しようとする課題】
上記のような従来の遠隔検針端末装置は、計測素子１７が封印される場合、別に通信端末器３０を付加設置して、この通信端末器３０にてアドレス設定して遠隔検針を可能にしている。このため需要家の軒下などに電力量計１０と通信端末器３０の２つの機器を取付けなければならず、取付スペースを多く必要とし、必然的に機器全体も高価となっていた。また、通信端末器３０の通信制御部３１にその駆動電源を供給するための配線が必要であり、設置工事が煩雑であった。
【０００５】
この発明は上記の課題を解決するためになされたもので、計測素子１７の封印部外にアドレス設定部を電力量計１０に一体に設け、安価で設置スペースのかさばらない遠隔検針用計量装置の提供を目的とする。
【０００６】
【課題を解決するための手段】
この発明に係る遠隔検針用計量装置は、計測素子および遠隔検針のための通信制御部を外殻筐体内に収納し、筐体外の通信端子の端子台部に該遠隔検針用計量装置のアドレス設定手段と、通信制御部は複数の通信方式を選択可能にして、通信方式を選択設定できる通信モード選択手段とを並設したものである。
【０００７】
また、端子台部にＩＣソケットをアドレス設定手段と並設し、各通信方式に対応したプログラムを記憶したメモリーチップをＩＣソケットに着脱可能にしたものである。
【０００８】
そして、計測素子からのパルス出力をアンド回路の一方入力とし、通信モード選択手段またはアドレス設定手段の設定を特定設定としたときにアンド回路の他方入力を「Ｈ」にして通信端子からの出力をパルス出力にして、通信モード選択手段またはアドレス設定手段が特定設定以外のときアンド回路の他方入力を「Ｌ」にしてアンド回路を作動停止させ通信制御部からの電文出力を通信端子へ出力させて、電文出力と計量パルス形式出力の選択を可能にしたものである。
【０００９】
また、計測素子からのパルス出力をアンド回路の一方入力とし、ＩＣソケットにメモリーチップを未装着のときまたはアドレス設定手段の設定を特定設定としたときにアンド回路の他方入力を「Ｈ」にして通信端子からの出力をパルス出力にして、ＩＣソケットにメモリーチップを装着のときまたはアドレス設定手段が特定設定以外のときはアンド回路の他方入力を「Ｌ」にしてアンド回路を作動停止させ通信制御部からの電文出力を通信端子へ出力させて、電文出力と計量パルス形式出力の選択を可能にしたものである。
【００１１】
【発明の実施の形態】
実施の形態１．
図１はこの発明の実施の形態１を示す遠隔検針用計量装置の正面図、図２は回路構成ブロック図である。図において、１０〜１９、４０は上記従来装置での説明と同様のものである。
２０はマイクロプロセッサー（ＣＰＵ）により制御される通信制御部であり、電力量計１０の筐体内に収納される。通信制御部２０は中央監視装置４０からの検針指令に対して計量部１８の検針結果を応答電文に編成して返信する機能は前記従来装置の通信制御部３１と同様であるが、その駆動電源を計量部１８、計測素子１７のものを共用することができる。また、通信制御部２０には用途に適した選択が可能となるように多種類の通信ネットワーク手段（例えば、電話回線、ＣＣリンク、ＣＡＮバス、プロフィバス、など）を搭載している。
【００１２】
２１はアドレス設定スイッチ、２２は通信モード設定スイッチである。アドレス設定スイッチ２１および通信モード設定スイッチ２２は絶縁性の端子台である端子箱１３に通信端子１３ｂと並んで設けられ、それぞれ通信制御部２０に接続されている。
【００１３】
このように構成された遠隔検針用計量装置では通信制御部２０も含み計測素子１７、計量部１８の計量精度検定後にベース１１とガラスカバー１２とが封印された状態で需要家に取付設置される。この時点で端子カバー１４は封印されていない。需要家へ取付設置の配線工事のときに通信回線への接続と該遠隔検針用計量装置のアドレス番号の設定をアドレス設定スイッチ２１で、そして通信回線の種別を通信モード設定スイッチ２２で行い、端子カバー１４の取付け後、工事封印をする。図示していないが端子カバー１４はカバーパッキンを有しており、アドレス設定スイッチ２１および通信モード設定スイッチ２２は通信端子１３ｂおよび入力端子１３ａとともに雨水等からの防水がなされる。
【００１４】
実施の形態２．
図３は、この発明の実施の形態２の遠隔検針用計量装置の端子箱部の細部部分図である。図において、１１、１３、１３ａ、１３ｂ、２１は上記実施の形態１で説明のものと同様である。２３はＩＣソケット、２４は通信モジュールが記録されたメモリーチップ（ＲＯＭ）である。
該実施の形態２では遠隔検針用計量装置の内部に収容されている通信制御部は各種通信方式に共通基本的な部分のみで構成される。そして各個別通信方式に対応した通信モジュール部分がメモリーチップ２４に記録される。従って、ＩＣソケット２３に装着するメモリーチップ２４の種別を選択取替えすることで、各種の通信方式に対応可能となる。
【００１５】
実施の形態３．
図４はこの発明の実施の形態３の遠隔検針用計量装置の回路ブロックを示す図である。該実施の形態３の遠隔検針用計量装置は出力を上記実施の形態１の電文通信によるものと、計量パルスを出力する形式に切り替え可能にするものである。
図において、１０、１３、１３ａ、１３ｂ、１７〜２２は上記実施の形態１で説明のものと同様である。２５はアンド回路、２６はホトカプラである。この図では電力量計１０の通信端子１３ｂにパルス計量タイプの受信装置４１を接続している例を示している。電文通信のときは上記説明の中央監視装置４０に接続される。
【００１６】
次に、実施の形態３の遠隔検針用計量装置の動作について説明する。計測素子１７は一般に計測計量に比例したパルス出力するものを用いる。例えば電子式電力量計の場合は電力／周波数変換素子、誘導形電力量計の場合は回転円板の回転をパルス出力に変換する変換器、水道メータ・ガスメータでは流量検出羽根の回転をパルス出力に変換する変換器からのパルス出力をアンド回路２５の一方に入力させる。通信モード設定スイッチ２２の特定スイッチ設定（パルス出力の選択）のときに、通信制御部２０は自分の動作を停止してアンド回路２５の他方入力を「Ｈ」信号とする。これにより計測素子１７のパルス出力はアンド回路２５からホトカプラ２６を介してパルス出力として通信端子１３ｂから送出される。
【００１７】
通信モード設定スイッチ２２を電文形式スイッチ設定したとき、通信制御部２０はアンド回路２５の他方入力を「Ｌ」信号とする。このためアンド回路２５からホトカプラ２６への信号出力は停止され、電文形式出力が通信端子１３ｂから送出される。
【００１８】
上記説明で電文通信と計量パルス出力の切り替えを通信モード設定スイッチ２２のスイッチ設定で行うようにしているが、これをアドレス設定スイッチ２１の特定アドレス番号で選択するようにしてもよい。
【００１９】
また、実施の形態２の通信制御部２０をメモリーチップ２４に記憶させてＩＣソケット２３への着脱するものでは、メモリーチップ２４が未装着のときはアンド回路２５の他方入力を「Ｈ」信号とし、メモリーチップ２４の装着時はアンド回路２５の他方入力を「Ｌ」信号とするようすればよい。メモリーチップ２４装着時に計量パルス出力の選択はアドレス設定スイッチ２１の特定アドレス番号で行う。
【００２０】
上記において、計測素子１７を収容する筐体が封印される形態を説明したが、本発明はこれにこだわるものではなく、該装置を取付設置する際に筐体を開放する必要がなく通信線の配線工事時に該装置のアドレス設定が行えるようにしたものをも含む。
【００２１】
【発明の効果】
以上説明したように、この発明の遠隔検針用計量装置は計測素子および通信制御部を筐体内に収納し、一体に筐体外の端子台部に該装置のアドレス設定スイッチと、通信制御部に予め備えられている複数の通信方式から通信方式を選択する通信モード選択手段とを設けたので、設置工事が簡単となり設置スペースがかさばらない。また、設置工事時に実用する通信方式を容易に選択設定できる。
【００２３】
また、端子台部にＩＣソケットをアドレス設定手段と並設したので、各通信方式に対応したプログラムを記憶したメモリーチップをＩＣソケットに装着することで幅広く任意の通信方式が選択できる。
【００２４】
そして、電文出力と計量パルス出力の選択を可能にしたので、既設の遠隔検針システムが計量パルス出力のときに電文出力システムへの変更時に遠隔検針用計器の取替えを必要としないで、遠隔検針システムの変更が可能である。
【図面の簡単な説明】
【図１】  この発明の実施の形態１の遠隔検針用計量装置の正面図である。
【図２】  この発明の実施の形態１の回路構成ブロック図である。
【図３】  この発明の実施の形態２の遠隔検針用計量装置の端子箱部の部分図である。
【図４】  この発明の実施の形態３の遠隔検針用計量装置の回路ブロックを示す図である。
【図５】  従来の遠隔検針端末装置の構成断面図である。
【図６】  従来の遠隔検針端末装置の回路構成ブロック図である。
【図７】  電力量計の外観側面図である。
【符号の説明】
１０  電力量計、    １１  ベース、    １２    ガラスカバー
１３  端子箱、    １３ａ  入力端子、    １３ｂ  通信端子
１４  端子カバー、    １５  封印ネジ、    １７  計測素子
１８  計量部、    ２０  通信制御部、    ２１  アドレス設定スイッチ
２２  通信モード設定スイッチ、    ２３  ＩＣソケット
２４  メモリーチップ、    ２５  アンド回路、    ２６  ホトカプラ
３０  通信端末器
【図１】
0004433576.tif 000002
【図２】
0004433576.tif 000003
【図３】
0004433576.tif 000004
【図４】
0004433576.tif 000005
【図５】
0004433576.tif 000006
【図６】
0004433576.tif 000007
【図７】
0004433576.tif 000008